(57)【要約】【課題】部品点数が少なく単純な形状の部品で構成されたブラケットにより、カメラで横撮り、縦撮りをする際ストロボをカメラレンズの真上に簡単に配置させ、背景に出る、目ざわりな被写体の影を低減させるストロボ撮影が行えるようにする。【解決手段】カメラ据付ブラケット１と連結ブラケット２およびストロボブラケット３は２つの揺動締結可能な関節４ａ，５ａを支点として連結され、連結ブラケット２およびストロボブラケット３の揺動動作によりストロボＡをカメラレンズＢの真上の位置に移動し固定を行う構造とした。【選択図】図１
2010271676.tif 000002
【特許請求の範囲】
【請求項１】
揺動締結可能な関節体を端部に取付けたカメラ据付ブラケットと、支持軸を両端に取付けた連結ブラケットと、揺動締結可能な関節体を端部に取付けたストロボブラケットとからなり、ストロボの位置をカメラレンズの中心軸周りに揺動締結可能であることを特徴とするストロボ取付装置。
【請求項２】
上述した関節体がセットカラーである事を特徴とする請求項１記載のストロボ取付装置。
【発明の詳細な説明】
【技術分野】
【０００１】  本発明は、カメラで横撮り、縦撮りをする際、ストロボをカメラレンズの真上に配置させるストロボ取付装置に関するものである。
【背景技術】
【０００２】  カメラで横撮り、縦撮りをする際、カメラレンズの真上に配置させ、背景に出る、目ざわりな被写体の影を低減させる従来のストロボ取付装置においては構成部品が多く、加工における工数も手間のかかるものであった（例えば、特許文献１、３参照。）。【０００３】
【先行技術文献】
【特許文献】
【０００４】
【特許文献１】実開平０５−０７１８３３号公報
【特許文献２】実登３０９９９０９号公報
【特許文献３】実登３１３４２１１号公報
【発明の概要】
【発明が解決しようとする課題】
【０００５】  上記の従来のストロボ取付装置においては、部品点数が多く複雑で軽量化がやりにくい構造の為、低価格化が図れず、重量も重く使いづらいという問題がある。【０００６】  そこで本発明は、このような従来の構成が有していた問題を解決しようとするものであり、カメラで横撮り、縦撮りをする際、ストロボをカメラレンズの真上に簡単に配置させ、目ざわりな被写体の影を低減させるストロボ撮影おこなえるように、部品点数が少なく単純な形状の部品で構成されたストロボ取付装置を実現することを目的とするものである。
【課題を解決するための手段】
【０００７】  上記課題を解決すべく本発明は、図１のように揺動締結可能な関節体を端部に取付けたカメラ据付ブラケットと、支持軸を両端に取付けた連結ブラケットと、揺動締結可能な関節体を端部に取付けたストロボブラケットとからなるストロボ取付装置で、ストロボの位置をカメラレンズの中心軸周りに揺動締結可能である構造を特徴とする。
【発明の効果】
【０００８】  上述したように本発明のストロボ取付装置は、構造が簡単で少ない部品で構成されているので、低価格化や軽量化が図りやすくなり、使いやすい装置とすることができる。
【図面の簡単な説明】
【０００９】
【図１】本考案のストロボ取付装置の斜視図
【図２】本考案のストロボ取付装置における横撮り時の使用状態を示す説明図
【図３】連結ブラケットを反時計方向に１８０°揺動させ締結したストロボ取付装置の状態を示す説明図
【図４】図３に示すストロボ、カメラ、およびストロボ取付装置を縦撮り姿勢に持ち替え次にストロボブラケットを時計方向に９０°揺動させ始めた状態を示す説明図
【図５】本考案のストロボ取付装置における縦撮り時の使用状態を示す説明図
【図６】図１に示すストロボ取付装置と同機能を有するもので関節の支点に蝶番を使用し、所定の位置での固定に蝶ネジを使用した他の一例を示す説明図
【図７】ストロボ取付装置を使用しない時の縦撮り時の使用状態を示す説明図
【図８】図７に示す撮影時に、被写体から見えるカメラとストロボの姿勢を示す説明図
【図９】本ストロボ取付装置使用時の縦撮り時のキャッチライト効果を示す説明図
【図１０】図９に示す撮影時に、被写体から見えるカメラとストロボの姿勢を示す説明図
【発明を実施するための形態】
【００１０】  以下、本発明の実施の形態を図１〜図５に基づいて説明する。
【００１１】  課題を解決するための本発明では、カメラ据付ブラケット１とその端部に取付けられた揺動及び締結可能な関節体４ａに支持軸４ｂ、５ｂを両端に取付けた連結ブラケット２を軸着する。
【００１２】  カメラ据付ブラケット１に軸着された連結部ブラケット２の一方の支持軸５ｂには揺動及び締結可能な関節体５ａを取付けたストロボブラケット３を軸着する。
【００１３】  組合わせたストロボ取付装置をカメラＣにカメラ取付具６で取付け、それにストロボＡをストロボ取付具７で取付けた全体図を図１に示す。
【００１４】  ストロボＡを図２に示す横撮影位置から図５に示す縦撮影位置に移動させるには、まず、図３に示すように、カメラ据付ブラケット１に取付けられた関節体４ａを締付具４ｃにより緩めて連結ブラケット２、ストロボブラケット３およびストロボＡを反時計方向に１８０°揺動させた後、締付具４ｃにより再度締結する。
【００１５】  次に、図４に示すように、カメラＣを縦撮り姿勢に持ち替え、ストロボブラケット３に取付けられた関節体５ａを締付具５ｃにより緩めてストロボブラケット３およびストロボＡを時計方向に９０°揺動させた後、締付具５ｃにより再度締結すると図５に示す縦撮影位置となる。
【００１６】  ストロボＡを縦撮影位置から横撮影位置に移動させるには、反対の手順となる。
【００１７】  上記の操作により横撮り、縦撮りをする際、ストロボＡをカメラレンズＢの真上に簡単に配置させることができる。
【実施例】
【００１８】  カメラＣはカメラ据付ブラケット１のカメラ取付用長穴に沿って移動可能で、カメラ取付具６によって任意の位置に固定でき、ストロボＡはストロボブラケット３のストロボ取付用長穴に沿って移動可能で、ストロボ取付具によって任意の位置に固定でき、カメラ底面取付ネジ穴の位置が変わっても、ストロボＡをつねにカメラレンズＢの真上に位置させることができる。【００１９】  また、連結ブラケット２と支持軸４ｂ，５ｂは脱着できる構造としているので、長さの違う連結ブラケット２に交換することにより最適な位置にストロボＡを取付けることができ、いろいろな高さのカメラＣに対応できる。【００２０】  上述した構造により最適な位置にストロボＡを取付けることができる汎用性の高いストロボ取付装置を提供できる。【００２１】  上述した図１に示すストロボ取付装置においては関節体４ａ、５ａをカメラ据付ブラケット１およびストロボブラケット３に取付け、支点軸４ｂ，５ｂを連結ブラケット２に取付けているが、この配置を逆にして、関節体４ａ，５ａを連結ブラケットに取付け、支点軸４ｂ，５ｂをカメラ据付ブラケット１およびストロボブラケット３に取付けても同様に使用することができる。【００２２】  図６に示すストロボ取付装置は上述した図１に示すストロボ取付装置と同機能を有するもので関節の支点に蝶番８ａ，９ａを使用し、所定の位置での固定に蝶ネジ８ｂ、９ｂを使用した他の一例である。【００２３】  自然な光Ｆ１が得られる天井バウンズ撮影時において、図７に示すように、カメラＣに直接ストロボＡを取付けた縦撮影（図８は被写体から見えるカメラＣ、ストロボＡの姿勢である。）ではストロボ内蔵のキャッチライト反射板Ｄからの反射光Ｆ２は被写体Ｇに向かずキャッチライト効果が得られない。【００２４】  一方、図９に示す本発明のストロボ取付装置を使用した縦撮影（図１０は被写体から見えるカメラＣ、ストロボＡの姿勢である。）ではストロボ内蔵のキャッチライト反射板Ｃからの反射光Ｆ２を被写体に向けることが可能となるので被写体の目に有効なキャッチライト効果が得られるという利点がある。
【符号の説明】
【００２５】１      カメラ据付ブラケット
２      連結ブラケット
３      ストロボブラケット
４ａ    関節体１
４ｂ    支持軸１
４ｃ    締付具１
５ａ    関節体２
５ｂ    支持軸２
５ｃ    締付具２
６      カメラ取付具
７      ストロボ取付具
８ａ    蝶番１
８ｂ    蝶ネジ１
９ａ    蝶番２
９ｂ    蝶ネジ２
Ａ      ストロボ
Ｂ      カメラレンズ
Ｃ      カメラ
Ｄ      キャッチライト反射板
Ｅ      天井
Ｆ１    天井からの反射板
Ｆ２    キャッチライト反射光
Ｇ      被写体
【図１】
2010271676.tif 000003
【図２】
2010271676.tif 000004
【図３】
2010271676.tif 000005
【図４】
2010271676.tif 000006
【図５】
2010271676.tif 000007
【図６】
2010271676.tif 000008
【図７】
2010271676.tif 000009
【図８】
2010271676.tif 000010
【図９】
2010271676.tif 000011
【図１０】
2010271676.tif 000012